(57)【要約】【課題】車椅子利用者の着座位置に関わらず安定して座面を昇降させることができ、座面を上昇させた状態でリクライニングしても安定して快適に洗髪サービスを受けることができ、介護者等にも洗髪のための負担が少なく、更に、幅方向に折り畳んだ際に横幅を小さく抑えてコンパクトに収納可能な洗髪用車椅子を提供することを目的とする。【解決手段】折り畳み可能に連結される左右のサイドフレーム２は、後輪１２を備えるメインフレーム２０と、その上方で、左右に張架される座面およびリクライニング機構５を備える背もたれ３を備えるサブフレーム４０とで構成し、左右一対の昇降装置８を設け、その操作軸を折り畳み可能の連結操作部材１４で連結し、昇降装置８により、座面および背もたれ３が洗髪に適した高さとなるまでサブフレーム４０をメインフレーム２０に対して昇降可能に支持する。【選択図】図１
2008188089.tif 000002
【特許請求の範囲】
【請求項１】
左右のサイドフレームを折り畳み可能に連結する車椅子において、サイドフレームは、前後に車輪を備えるメインフレームと、メインフレームより上方に位置して左右に張架される座面およびリクライニング機構を備える背もたれを備えるサブフレームとにより構成し、左右一対の昇降装置を設け、その操作軸を棒体による連結操作部材により連結し、この連結操作部材を折り畳み可能とするとともに、前記昇降装置により、座面および背もたれが洗髪に適した高さとなるまでサブフレームをメインフレームに対して昇降可能に支持することを特徴とする洗髪用車椅子。
【請求項２】
前記連結操作部材を後方に湾曲させ、介護者等の第三者が車椅子の背後から手または足により操作可能な位置にレバーを形成する請求項１記載の洗髪用車椅子。
【請求項３】
前記レバーは左右の昇降装置から内側に延びる操作軸を回動軸として上下動させて操作するものであり、連結操作部材の両端を操作軸に対して少なくとも上下いずれか一方向に屈折可能に軸着するとともに、それと同方向に連結操作部材の中間点を屈折可能とし、その屈折可能部位にスライド自在の鞘管を被せて当該屈折可能部位がレバー操作時に不意に屈折するのを規制する請求項２記載の洗髪用車椅子。
【請求項４】
リクライニング機構は、座面より後方部分のサブフレームにおいて支承され、上下動可能に背もたれを支持する支持棒を備え、この支持棒に、伸縮自在のスタンドを下向きに延設する請求項１ないし請求項３に記載の洗髪用車椅子。
【請求項５】
前記支持棒は、上端を背もたれの裏側に軸着する棒体による伸縮軸と、座面より後方部分のサブフレームに取付けて伸縮軸を挿通しこれをスライド自在に支承するシリンダとを備え、前記伸縮自在のスタンドは、伸縮軸を中空とし、その下端より立脚棒をスライド固定自在に挿入して構成する請求項４記載の洗髪用車椅子。
【請求項６】
サブフレームを最大限上昇させた状態で一直線状に伸びることによりメインフレームに対してサブフレームを支承する屈曲自在の補助支持金具の端を、昇降装置の前後位置において左右の各々のフレームに軸着する請求項１ないし請求項５のいずれかに記載の洗髪用車椅子。
【請求項７】
介護者等の第三者が車椅子を押すためのハンドルを背もたれの左右外方向に突設する請求項１ないし請求項６のいずれかに記載の洗髪用車椅子。
【請求項８】
洗髪の際にシンク内に吸着する吸盤を先端に備え、防水性と可撓性を備える洗髪用枕の根元を、背もたれの裏面上方に取り付ける請求項１ないし請求項７のいずれかに記載の洗髪用車椅子。
【発明の詳細な説明】
【技術分野】
【０００１】
本発明は、車椅子利用者が洗髪サービスを受けることを容易とする車椅子に関するものである。
【背景技術】
【０００２】
従来、寝たきりの入院患者など、自力で歩行できない人々に対して洗髪サービスを行うためには、湯や水を入れた盥を患者が寝ているベッドに持ち込んだり、患者をベッドからストレッチャーに乗せ替えて洗面所まで運んだりして行っていた。
【０００３】
しかし、ベッドで洗髪する場合には、盥の上で患者の頭を支えながら洗髪しなければならず、介護者が一人で洗髪を行うのは困難であった。また、盥の上で首を大きく持ち上げられる体勢は患者にとっても辛い上、湯水やシャンプーが周囲に飛び散りベッドが汚れ、患者にとっても介護者にとっても快適なものではなかった。
【０００４】
また、ストレッチャーは患者を寝かせた状態で運ぶときにのみ使用するものであり、患者が日常その上で過ごすものではなく、患者にとって身近で快適な存在ではない。
【０００５】
更に、ストレッチャーを利用する場合には、横になった状態の患者をベッドからストレッチャーに移動させなければならず、そのためには少なくとも頭部側を支える人員と足部側を支える人員とが必要となり、やはり介護者が一人で行うのは困難であった。
【０００６】
このように、自力で歩行できない人々が洗髪サービスを受けることが困難な状況があり、そのため長期間洗髪できないことも多く、頭部が不衛生になり、不快な生活を強いられてきた。
【０００７】
一方、自力で歩行できない人々が日常移動に利用するものとしては、座った状態で過ごせる車椅子が一般的であり、寝ているとき以外は車椅子で過ごすという患者も多く、彼らにとって身近で快適な存在である。
【０００８】
また、ベッドから車椅子への乗せ替えも、ベッド上に座った状態の患者の腰を支えるか多少の補助をするだけで可能であり、多くの人員を必要とせず、介護者の負担も少なくて済む。
【０００９】
このように、自力で歩行できない人々が普段日常で使用している車椅子が彼らにとって身近で快適であり、車椅子の使用は介護者にとっても負担が少ないため、洗髪サービスも車椅子に乗ったまま受けられることが好ましい。そして、このような車椅子の中でも、リクライニング機構を備える背もたれを備え、幅方向に折り畳み可能な車椅子が、収納に便利である上使い勝手が良いとして広く使用されている。
【００１０】
しかし、洗髪のために背もたれを後方に傾倒させると頭部の位置が下がってしまい、洗髪用シンクの高さに頭部が届かない。そして、車椅子利用者の頭部の位置が下がるのに合わせて、水を張った盥などをその下に置いて洗髪するとなると、介護者が低くかがんで洗髪しなければならず、介護者の負担が大きくなってしまう。
【００１１】
そこで、車椅子利用者の頭部を適度な高さにして洗髪するためには、背もたれが後方に傾倒可能であり、且つ、座面および背もたれが昇降可能であることが要求されるが、このような車椅子が以下の文献に示されている。
【特許文献１】特開２００４−３５８０９０号公報
【００１２】
特許文献１の車椅子は図１４および図１５に示すように、前輪１１およびシャフト８７により左右が連結される後輪１２を備える左右の角パイプを、前方の横枠８２および中央の横板８３により連結してなる台車部１３の、横板８３の中央に油圧ジャッキ１８を配置し、この油圧ジャッキ１８上に座席シート８４を配置することにより、座席シート８４を昇降可能としている。
【００１３】
また、リクライニング手段１９を操作することにより、図１６に示すように座席部１７を水平に配置して、これに連動させて背もたれ部１５および足置き部１６を水平にしてリクライニング姿勢とすることができる。
【００１４】
そして台車部１３に、補助輪６０付きの出し入れ部材２８を有した補助輪移動ガイド部３３を設け、出し入れ部材２８と背もたれ部１５との間に、背もたれ支持部材３０を設けたので、背もたれ部１５をリクライニング姿勢で安定させることができ、またその状態で、油圧ジャッキ１８により座席部１７を昇降させることができる。
【発明の開示】
【発明が解決しようとする課題】
【００１５】
しかし、座席部１７の昇降を１本の油圧ジャッキ１８のみで行っているが、車椅子利用者の着座位置によっては重心が座席部１７の中心に常に一致するとは限らず、もし重心がずれた場合には、座席部１７を昇降させる際に不安定となり、危険である。
【００１６】
また、車椅子を一般家庭で使用する場合には限られたスペースに収納するためコンパクトに折り畳めることが望ましいが、特許文献１の車椅子はその点についても考慮されていない。
【００１７】
なお、折り畳み方式としては、座面を幅方向に折って重ね、前後の車輪を備える左右のフレームを互いに寄せて幅方向に折り畳む方式が操作性に優れ、且つ、収納スペースの床面積も少なくて済むため、この方式が広く採用されているが、特許文献１の車椅子は、横枠８２、横板８３、シャフト８７により台車部１３が幅方向に固定されており、幅方向に折り畳むことができない。
【００１８】
更に、もし、車軸としてのシャフト８７を左右２本に分けて車体の中央を貫通しないようにし、横枠８２の中央および横板８３の油圧ジャッキ１８の左右側部に蝶番を設けるなどして、横枠８２と横板８３とを屈折可能にし、車体を幅方向に折り畳めるようにしたとしても、油圧ジャッキ１８が車体の中間に位置するため、車椅子を折り畳んだ場合、左右の角パイプ８１の幅の上に、更に油圧ジャッキ１８の幅が加わってしまい、それほど横幅を小さくすることができない。
【００１９】
しかも、座席シート８４を含む車体上部および車椅子利用者の全体重を１本の油圧ジャッキ１８で支えて昇降させるためには、大きな油圧ジャッキが必要となり、その分、油圧ジャッキ１８の横幅も大きくなるため、車椅子を幅方向に折り畳んだ際、ますます横幅を小さくすることができない。
【００２０】
本発明は前記従来例の不都合を解消し、車椅子利用者の着座位置に関わらず安定して座面を昇降させることができ、座面を上昇させた状態でリクライニングしても安定して快適に洗髪サービスを受けることができ、介護者等にも洗髪のための負担が少なく、更に、幅方向に折り畳んだ際に横幅を小さく抑えてコンパクトに収納可能な洗髪用車椅子を提供することを目的とする。
【課題を解決するための手段】
【００２１】
前記目的を達成するため本発明は、第１に、左右のサイドフレームを折り畳み可能に連結する車椅子において、サイドフレームは、前後に車輪を備えるメインフレームと、メインフレームより上方に位置して左右に張架される座面およびリクライニング機構を備える背もたれを備えるサブフレームとにより構成し、左右一対の昇降装置を設け、その操作軸を棒体による連結操作部材により連結し、この連結操作部材を折り畳み可能とするとともに、前記昇降装置により、座面および背もたれが洗髪に適した高さとなるまでサブフレームをメインフレームに対して昇降可能に支持することを要旨とするものである。
【００２２】
そしてこれに加えて第２に、前記連結操作部材を後方に湾曲させ、介護者等の第三者が車椅子の背後から手または足により操作可能な位置にレバーを形成すること、第３に、前記レバーは左右の昇降装置から内側に延びる操作軸を回動軸として上下動させて操作するものであり、連結操作部材の両端を操作軸に対して少なくとも上下いずれか一方向に屈折可能に軸着するとともに、それと同方向に連結操作部材の中間点を屈折可能とし、その屈折可能部位にスライド自在の鞘管を被せて当該屈折可能部位がレバー操作時に不意に屈折するのを規制することを要旨とする。
【００２３】
更に第４に、リクライニング機構は、座面より後方部分のサブフレームにおいて支承され、上下動可能に背もたれを支持する支持棒を備え、この支持棒に、伸縮自在のスタンドを下向きに延設すること、第５に、前記支持棒は、上端を背もたれの裏側に軸着する棒体による伸縮軸と、座面より後方部分のサブフレームに取付けて伸縮軸を挿通しこれをスライド自在に支承するシリンダとを備え、前記伸縮自在のスタンドは、伸縮軸を中空とし、その下端より立脚棒をスライド固定自在に挿入して構成することを要旨とするものである。
【００２４】
そして第６に、サブフレームを最大限上昇させた状態で一直線状に伸びることによりメインフレームに対してサブフレームを支承する屈曲自在の補助支持金具の端を、昇降装置の前後位置において左右の各々のフレームに軸着すること、第７に、介護者等の第三者が車椅子を押すためのハンドルを背もたれの左右外方向に突設すること、第８に、洗髪の際にシンク内に吸着する吸盤を先端に備え、防水性と可撓性を備える洗髪用枕の根元を、背もたれの裏面上方に取り付けることを要旨とするものである。
【００２５】
請求項１記載の本発明によれば、昇降装置は左右２本設けるようにしたから、車椅子利用者の着座位置が座面の中心からずれても、座面およびリクライニング機構を備える背もたれを備えるサブフレームを安定して昇降させることができる。よって、座面を上昇させ、且つ、リクライニングした状態でも、安定して洗髪サービスを受けることができる。
【００２６】
また、車椅子利用者は普段から車椅子の上で過ごしていることが多いため、洗髪を行う際には、既に車椅子利用者が乗っている車椅子をリクライニングさせ、座面および背もたれが洗髪に適した高さとなるまでサブフレームをメインフレームに対して上昇させれば良く、車椅子利用者にとっては、身近で快適な車椅子に乗ったまま快適に洗髪サービスを受けることができ、介護者等にとっても、洗髪に際して多くの人手を必要とせず、負担を軽減することができる。
【００２７】
またこのように、洗髪サービスに伴う車椅子利用者と介護者等との双方の負担を軽減できたことで、滅多に洗髪サービスを受けることができなかった車椅子利用者が、家庭や介護施設、病院等の身近な場所で、より気軽に頻繁に洗髪サービスを受けることができるようになる。すなわち、自力での歩行が困難な人々が最も望みつつも最大の難問であった洗髪に付随する問題が、本発明の洗髪用車椅子により全面的に解決される。
【００２８】
そして両昇降装置の操作軸を連結操作部材により連結したから、１つの連結操作部材を操作することにより、左右両方の昇降装置を同時に作動させて、車椅子の左右高さを同じに保ち、車椅子利用者の体勢を安定させた状態で車椅子を昇降させることができる。なお、この連結操作部材を折り畳み可能としたから、車椅子の折り畳みが阻害されることはない。
【００２９】
また、昇降装置を座面の中央ではなく左右に設けるようにしたから、車椅子を幅方向に折り畳む際に昇降装置が邪魔にならず、更に、昇降装置を２本にすることで、１本にした場合よりも各昇降装置を小型にしてその横幅を小さくすることができ、折り畳み状態の車椅子の横幅を更に小さく抑えることができる。
【００３０】
なお、リクライニングされた背もたれと洗髪用シンクの高さを合わせるためには、背もたれと洗髪用シンクとの位置関係を目視しながら車椅子を昇降させる必要があり、このためには、車椅子利用者が自ら車椅子を昇降させるのではなく、介護者や理美容院の店員などの第三者（以下、介護者等）が洗髪用シンクと背もたれとを同時に目視できる車椅子の背後に回って昇降操作を行うことが望ましい。請求項２記載の本発明によれば、前記連結操作部材を後方に湾曲させて、介護者等が車椅子の背後から手または足により操作可能な位置にレバーを形成したから、介護者等が車椅子の背後に回って背もたれと洗髪用シンクの高さを目視しながら車椅子の昇降操作を行うことができる。
【００３１】
請求項３記載の本発明によれば、昇降装置は横方向に延びる操作軸を回動軸とするレバーを上下動させることにより操作する一般的なものであって操作方法は容易である。そしてこの昇降装置の操作軸に対して、連結操作部材の両端を少なくとも上下いずれか一方向に屈折可能に軸着するとともに、それと同方向に連結操作部材の中間点を屈折可能とすることにより、車椅子を折り畳む際には各屈折可能部位を屈折させて連結操作部材も折り畳むことができる。
【００３２】
なお、連結操作部材を上下方向に屈折可能として折り畳みできるようにしたことで、レバーを上下動させて操作する際にそれに合わせて屈折可能部位が屈折してしまうおそれがあるが、当該屈折可能部位にスライド自在の鞘管を被せることで、これを規制することができるとともに、鞘管をスライドさせてこの規制を解除することで、折り畳み性能も確保することができる。
【００３３】
請求項４記載の本発明によれば、リクライニング機構を構成する支持棒に延設するスタンドを伸長させることにより、支持棒とスタンドとが一体となって背もたれを地面に対して支えるから、リクライニング状態で車椅子を上昇させても、車椅子利用者の体重をしっかりと支えて安定させることができる。また、スタンドを使用しないときには縮めておくことで、移動のため車椅子を使用する際に邪魔にならない。
【００３４】
請求項５記載の本発明によれば、リクライニング機構を構成する支持棒のうち、サブフレーム後部に取付けられるシリンダに挿通する伸縮軸を中空とし、その下端より立脚棒をスライド固定自在に挿入してスタンドを構成するようにしたから、リクライニング機構の支持棒と一体のスタンドを容易に実現することができる。
【００３５】
請求項６記載の本発明によれば、サブフレームを最大限上昇させた状態で一直線状に伸びることによりメインフレームに対してサブフレームを支承する屈曲自在の補助支持金具の端を、昇降装置の前後位置において左右の各々のフレームに軸着するようにしたから、車椅子が最も不安定となるサブフレームを最大限上昇させた状態でも、サブフレームは片側につき、昇降装置とその前後の補助支持金具の合計３点で支えられ、安定した状態を保つことができる。
【００３６】
なお、介護者等が車椅子を押すためのハンドルは通常、背もたれの後方に突設されるが、請求項７記載の本発明によれば、これを背もたれの左右外方向に突設するようにしたから、洗髪サービスを行うために背もたれを水平に倒してもハンドルは背もたれの下方ではなく、介護者等が握り易い横方向に突出することとなる。
【００３７】
請求項８記載の本発明によれば、洗髪の際にシンク内に吸着する吸盤を先端に備え、防水性と可撓性を備える洗髪用枕の根元を、背もたれの裏面上方に取り付けるようにしたから、洗髪サービスを行う際には水平に倒した背もたれの裏面からシンク内に渡って洗髪用枕を配置し、先端の吸盤をシンク内に吸着固定させることで、車椅子利用者の首筋や後頭部がシンクの固い縁に直接当らず保護され、快適に洗髪サービスを受けることができる。
【００３８】
また、一般家庭や病院等の流し台や洗面台は、理容院や美容院に備え付けの洗髪用シンクのように、縁の一部が丸みを帯びて形成されていたり、洗髪用枕が取り付けられたりするなどして、洗髪サービスを受ける者の首筋や後頭部を保護するようには構成されていないが、背もたれに洗髪用枕を取付けておくことで、このような一般家庭や病院等の流し台や洗面台その他の手洗い器具においても、車椅子利用者の首筋や後頭部が保護された状態で快適に洗髪サービスを受けることができる。
【発明の効果】
【００３９】
以上述べたように本発明の洗髪用車椅子は、車椅子利用者の着座位置に関わらず安定して座面を昇降させることができ、座面を上昇させた状態でリクライニングしても安定して快適に洗髪サービスを受けることができ、介護者等にも洗髪のための負担が少なく、更に、幅方向に折り畳んだ際に横幅を小さく抑えてコンパクトに収納することができる。
【発明を実施するための最良の形態】
【００４０】
以下、図面について本発明の実施形態を詳細に説明する。図１は本発明の洗髪用車椅子の１実施形態を示す全体側面図、図２は同上背面図である。なお、図２においては、車椅子前方の足置き４６や連結支持棒６３は省略して示す。
【００４１】
本発明の洗髪用車椅子１は、乗員である車椅子利用者が自分で車輪を回して移動できる自走タイプのものであり、従来と同様に中空の金属パイプにより形成した左右のサイドフレーム２を互いに引き寄せることにより幅方向に折り畳み可能となっている。
【００４２】
サイドフレーム２は、前後方向に延設する横管２１の上側に複数の縦管を立設してなるメインフレーム２０と、この縦管よりも大径の縦管を備えてこれを上側から嵌着するとともに、これら縦管間を横管４１により上方で連結するサブフレーム４０とにより構成する。
【００４３】
メインフレーム２０は最後部の縦管に軸支される駆動輪としての後輪１２と、最前部の縦管を下方に延長した先に取り付ける補助輪としての前輪１１とを備える。また、後輪１２のブレーキおよびブレーキレバー１０を横管２１に取り付ける。
【００４４】
一方、サブフレーム４０は、左右の横管４１間に布製の座面（不図示）を張架し、横管４１の前方に、車椅子利用者の足を沿わせる部分のレッグパイプ４５の上端を軸着し、レッグパイプ４５の下端には足置き４６を取り付ける。
【００４５】
そして、背もたれ３の枠３２を構成する金属パイプの下端を、横管４１の座面後端の背後位置に軸着し、枠３２にも布製のシートを張架して、車椅子利用者の背中の当接面を構成する。更に、下向きコの字形の金属パイプによる肘置き４７の枠の根元を、座面の位置に対応させて、横管４１の上から前後２箇所に着脱自在に嵌め込む。
【００４６】
また、サブフレーム４０の横管４１を、背もたれ３の側枠３２下端の軸着位置より更に後方に延設し、これを下向きに屈曲させることにより、リクライニング機構５のシリンダ５ａを支承する縦管４２を形成し、これをメインフレーム２０の最後部の縦管に嵌着する。なお、車軸２３を避けるようにして、縦管４２の外側面を、下端より車軸２３までの部分を切り欠く。
【００４７】
そして、メインフレーム２０の横管２１上の、座面の前後方向中間よりやや後方且つ座面後端よりも前方位置に、油圧ジャッキによる昇降装置８を設け、その昇降軸２４上端をサブフレーム４０の横管４１に固定する。
【００４８】
また、昇降装置８の前後位置において、補助支持金具６を設ける。補助支持金具６は上下２本の細長金属板を互いに軸着して屈折自在に形成し、下端をメインフレーム２０の横管２１内側に軸着するとともに、上端をサブフレーム４０の横管４１内側に軸着する。
【００４９】
昇降装置８は図３に示すように、昇降軸２４と、これを受容するシリンダ５０と、操作軸４８を介して連結操作部材１４からの動力が伝達される動力伝達棒５１と、油圧ポンプ５２とを備える。油圧ポンプ５２とシリンダ５０とは通路５３によって連絡している。また、油圧ポンプ５２と通路５３の間には、逆止弁７２が設けられ、オイルが油圧ポンプ５２側へ逆流しないよう構成されている。
【００５０】
なお、図中７４はスタッドバルブ、７３はスタッドバルブ７４を下向きに付勢するバネ、７５はスタッドバルブ７４先端に設ける突起である。
【００５１】
このように構成する左右の昇降装置８の操作軸４８を、図４に示すように車体の内側に突出させ、左右の操作軸４８間に連結操作部材１４を架渡して連結する。金属棒による連結操作部材１４は、上下方向に回動自在となるよう両端１４ａを操作軸４８の先端に軸着し、操作軸４８を延長するように車体内側にまっすぐ伸びた先を車体の後方に屈曲させて第１屈曲部１４ｃとし、次の第２屈曲部１４ｄで車体内向きに屈曲させ、左右合流する中間点１４ｂで互いに上下方向に回動自在となるよう軸着する。
【００５２】
なお、洗髪用車椅子１の背後から伸ばした介護者等の手または足が連結操作部材１４の中央部分に届いて操作可能となるよう、第１屈曲部１４ｃの屈曲角度および第１屈曲部１４ｃから第２屈曲部１４ｄまでの長さを設定する。これにより、連結操作部材の中央部分である、左右の第２屈曲部１４ｄ間が、レバー５６として形成される。
【００５３】
このとき、洗髪用車椅子１の背後からレバー５６を操作しやすくするため、第１屈曲部１４ｃで連結操作部材１４を後方よりやや下向きに屈曲させた場合には、これに合わせて操作軸４８との軸着部および中間点１４ｂでの軸着部での回動方向もやや後傾させ、第１屈曲部１４ｃの屈曲方向と各軸着部の回動方向とが直交するようにする。
【００５４】
また、連結操作部材１４の端１４ａと操作軸４８との軸着部分および中間点１４ｂには、それぞれ鞘管５４、５５を左右にスライド可能に被せる。
【００５５】
鞘管５４、５５内部端寄りの連結操作部材１４には、表面を薄く山形に切り起こして小凸部６０を形成し、鞘管５４、５５内側の小凸部６０対応位置を浅く削って、これが係合する凹部を形成する。これに加えて、鞘管５５端に近接させて連結操作部材１４表面にスライドストッパ６１を突設する。
【００５６】
このように構成する連結操作部材１４により、左右の昇降装置８を連結するとともに、左右のサブフレーム４０最前の縦管４４間に連結支持棒６３を架渡して連結する。
【００５７】
連結支持棒６３は、図５に示すように、中間点６３ａにおいて上向きに屈折可能となるよう、左右２本の金属棒を互いに軸着し、更にその両端を、縦管４４の内側を切り欠いて形成する平面部に蝶番６５を介して取付けて構成する。また、中間点６３ａには、鞘管６４を左右にスライド可能に被せる。
【００５８】
そしてこの連結支持棒６３にも前記同様、小凸部６６およびスライドストッパ６７を形成し、鞘管６４内側の小凸部６６対応位置に浅い凹部を形成する。
【００５９】
このようにして、連結操作部材１４および連結支持棒６３により、左右のサイドフレーム２を連結する。なお、洗髪用車椅子１を開げた状態でその姿勢を維持し、且つ、折り畳み動作にも耐え得る程度に、連結操作部材１４および連結支持棒６３を太くして強度を高める。その他、左右のメインフレーム２０の横管２１間にも、折り畳み可能の連結用部材を適宜配設して左右のサイドフレーム２の連結を補強するようにしても良い。
【００６０】
次に、背もたれ３が備えるリクライニング機構５について説明する。リクライニング機構５は、左右２枚の板状の取付け金具５ｅに下部を挟持されるとともに、この取付け金具５ｅを介して、縦管４２内側面から後方に突設される取付け片４３に軸着されるシリンダ５ａと、シリンダ５ａに挿通する伸縮軸５ｂとを備える。
【００６１】
伸縮軸５ｂの上端には、コの字形の取付け金具５ｄを開口を上向きにして固定する。また、背もたれ３の側枠３２の下寄り位置において、上下２箇所から後方に突設されるとともに下側で合流する取付け片５ｃを設け、この取付け片５ｃを取付け金具５ｄにより左右両側から挟持した状態で、取付け金具５ｄを取付け片５ｃに軸着する。
【００６２】
これにより、背もたれ３の裏面と、サブフレーム４０の座面より後方に位置する縦管４２との間にリクライニング機構５が形成され、伸縮軸５ｂとシリンダ５ａとによる支持棒が、座面より後方部分のサブフレーム４０において支承されて、背もたれ３を上下動可能に支持する。そしてこのようなリクライニング機構５により、背もたれ３の傾倒角度を無段階に調節可能とする。
【００６３】
なお、伸縮軸５ｂは背もたれ３を起こした状態でも下端がシリンダ５ａから突き出る長さに設定し、内部を中空として下端を開口する。そしてその下側から、上向きのラチェット歯を長手方向に沿って設けた金属棒による立脚棒２５を挿入して、スタンド２２を構成する。
【００６４】
スタンド２２は、伸縮軸５ｂ下部の外周面上に、立脚棒２５方向に付勢されてその表面のラチェット歯に係止する爪（不図示）と、その係止および解除を切り換え操作するためのレバー２６ａを備える操作部２６を備える。また、立脚棒２５の上端と伸縮軸５ｂ内部天井とを付図示の巻きバネにより結合して、立脚棒２５を上向きに付勢する。
【００６５】
次に、背もたれ３について見ると、背もたれ３には、介護者等が洗髪用車椅子１を押すためのハンドル９を、枠３２の中ほどより左右外向きに突設し、リクライニング機構５を伸縮操作するためのレバー９ａこのハンドル９の下側に設ける。
【００６６】
なお、ハンドル９は、介護者等が把持し易い程度の横幅を確保しつつ、その先端が、駆動のため車椅子利用者が把持する部分を含む後輪１２よりも外側に突出しないよう、枠３２の中ほどより背後方向へ延ばし、これを若干内側へ湾曲させたものを更に外側へ湾曲させて左右外向きに突設する。
【００６７】
背もたれ３は、洗髪用車椅子１に腰掛けた車椅子利用者の首が位置する部分より上の部分である補助背もたれ３６と、それより下の背もたれ本体３７とからなり、金属パイプによる枠３２は、補助背もたれ３６のパイプが背もたれ本体３７のパイプに挿入されており、着脱金具３１のレバー３１ａを押し下げてロックを解除することにより、背もたれ本体３７に対して補助背もたれ３６を着脱可能としている。
【００６８】
更に、背もたれ本体３７の裏面上方には、図６に示す洗髪用枕３５を取り付ける。洗髪用枕３５は、ゴム板などの可撓性と防水性を備える基板３５ａの中央に、スポンジの薄板による緩衝材の表面を樹脂製シートで覆って枕本体部３５ｂを形成する。
【００６９】
また、基板３５ａの先側（図中右下側）を先細りに延長させてその先端に肉厚でやや硬質の取付け具３５ｅを設け、取付け具３５ｅの両腕で吸盤３５ｃ背面中心の突起を挟んで軸支する。
【００７０】
更に、基板３５ａの根元側（図中左上側）の左右２箇所を出っ張らせて、出っ張り部分にホック３５ｄを設ける。なお、図示はしないが、ホック３５ｄと対を成すホックが補助背もたれ３６の裏面上方に接着されており、これらのホック同士を係合することにより、洗髪用枕３５の根元を背もたれ３に着脱自在に取り付ける。
【００７１】
次に、動作および使用方法について説明する。まず、後輪１２にブレーキをかけ、着脱金具３１のレバー３１ａを押し下げて補助背もたれ３６と背もたれ本体３７とのロックを解除し、補助背もたれ３６を取り外す。次に、介護者等がレバー９ａを握ることによりリクライニング機構５のロックを解除し、これにより伸縮軸５ｂがシリンダ５ａ内を通って下方に移動し、背もたれ３がリクライニングされる。
【００７２】
なお、洗髪サービスを行うためには、図７および図８に示すように背もたれ３が水平になるまで後傾させる必要があるが、ハンドル９は背もたれ３の両側面から左右外向きに突出しているから、背もたれ３を水平に倒してもハンドル９が背もたれ３の下側に回ってしまうことがなく、操作性が良い。
【００７３】
また、車椅子利用者の膝も伸ばして体を一直線にした方が楽である場合には、レッグパイプ４５を適宜起こして足置き４６の位置を高くする。
【００７４】
その後、介護者等が洗髪用車椅子１の背後に回り、連結操作部材１４のレバー５６を手または足により繰り返し前方下向きに押して上下動することにより、左右の昇降装置８の操作軸４８を支点にして動力伝達棒５１の先端が下向きに移動して動力が油圧ポンプ５２に伝達され、バネ７３の付勢力に抗してスタッドバルブ７４が下向きに移動する毎に油圧ポンプ５２が逐次油圧を発生させ、通路５３を通じてシリンダ５０にオイルを送り、サブフレーム４０に連結される昇降軸２４を押し上げることができる。これにより、サブフレーム４０がメインフレーム２０に対して上昇する。
【００７５】
そして図９にも示すように、背もたれ３の先端と洗髪用シンク３８の縁との高さが等しくなるまでサブフレーム４０を上昇させる。昇降装置８は左右２本設けられるから、車椅子利用者の着座位置が座面の中心からずれていたとしても、座面を備えるサブフレーム４０を安定して昇降させることができる。
【００７６】
また、サブフレーム４０が上昇すればその分、不安定になるおそれがあるが、サブフレーム４０を最大限上昇させると、補助支持金具６が一直線状に伸び、昇降装置８の前後においてメインフレーム２０に対してサブフレーム４０を支持するから、サブフレーム４０は片側につき、昇降装置８と前後２つの補助支持金具６との合計３点で支えられ、安定した状態を保つことができる。
【００７７】
このようにして、サブフレーム２０を上昇させた後、スタンド２２の立脚棒２５を、介護者等がその先端に足をかけて下向きに下ろすことにより、巻きバネの付勢力に抗して下向きに引き、下端が地面に届くまでスライドさせて引き出す。操作部２６内より突出して立脚棒２５方向に付勢される爪が、立脚棒２５表面のラチェット歯に係止するから、立脚棒２５は引き出された位置で固定される。
【００７８】
これにより、伸縮軸５ｂと立脚棒２５とが一体となって背もたれ３を地面に対して支えるから、リクライニング状態で車椅子を上昇させても、車椅子利用者の体重をしっかりと支えて安定させることができる。
【００７９】
なお、左右のサイドフレーム２を連結する連結支持棒６３および連結操作部材１４は折り畳み可能であるため、屈折可能の軸着部分を有するが、それらの部分は鞘管５４、５５、６４が被せられている状態では屈折しない。
【００８０】
また、鞘管５４、５５、６４は内側の溝と小凸部６０、６６との係合、およびスライドストッパ６１、６７により横方向への移動が規制されるから、不意に横方向へスライド移動して連結支持棒６３および連結操作部材１４の軸着部分からずれてしまうことがない。よって、連結支持棒６３および連結操作部材１４が不意に屈折することなく、洗髪用車椅子１の姿勢が幅方向にも安定して保たれる。
【００８１】
このように車体を安定させた後、図９に示すように、背もたれ３の裏面上方に取り付けた洗髪用枕３５先端の吸盤３５ｃを洗髪用シンク３８内に吸着させる。これにより、車椅子利用者７０の首筋や後頭部が洗髪用シンク３８の固い縁に直接触れず、柔らかな枕本体部３５ｂ上に載置されて保護される。
【００８２】
そしてこの状態で洗髪サービスを行う。これにより、車椅子利用者７０は車体が安定した状態で、安心して快適に洗髪サービスを受けることができる。
【００８３】
ところで、一般的に美容院で洗髪サービスを行う場合には、背もたれは地面に対して完全に平行とせずに１０度から１５度ほど起こした略水平状態で行うが、本実施形態の洗髪用車椅子１を利用して洗髪する場合にも図１０に示すように、背もたれ３を完全な水平よりも若干起こした状態で使用することが望ましい。
【００８４】
背もたれ３を完全に水平にした場合、車椅子利用者７０の首筋中央部を洗髪用シンク３８の縁に位置させて洗髪用シンク３８内に頭部全体をすっぽりと収めるようにすると、重力によって頭部が強く下に引かれ車椅子利用者７０が苦しい体勢となる。よってこれを避けるため、図９に示すように首筋の中央部よりもやや上部の後頭部下端に洗髪用シンク３８の縁を位置させることとなる。
【００８５】
しかし、これでは頭部全体が洗髪用シンク３８内に収まらず、後頭部下端の頭髪および頭皮をしっかりと洗うことが困難であるため、図１０に示すように、背もたれ３を１０度から１５度ほど起こした上で、車椅子利用者７０の首筋の中央部を洗髪用シンク３８の縁に位置させて頭部全体を洗髪用シンク３８内に収めることが望ましい。
【００８６】
このように適宜背もたれ３の傾倒角度を調節して、背もたれ３を若干起こした略水平状態とすることにより、車椅子利用者７０の頭部全体を洗髪用シンク３８内に収めても頭部が下がり過ぎることがなく、楽な姿勢を保って快適に洗髪サービスを受けることができる。また、車椅子利用者７０の頭部全体が洗髪用シンク３８内に収まることで、後頭部下端を含む頭部全体を洗うことが容易となり、介護者等にとっても快適である。
【００８７】
なお、洗髪用枕３５は、不使用時には先端の吸盤３５ｃを背もたれ３の裏面に吸着させておけば、先端が揺れ動いて邪魔になることがない。
【００８８】
洗髪用車椅子１の使用後は、以下のように折り畳んで収納する。まず、スタンド２２のレバー２６ａを操作して、操作部２６の爪と立脚棒２５のラチェット歯との係合を解除する。立脚棒２５は巻きバネによる上向きの付勢力によって上方に移動し、上部が伸縮軸５ｂ内に引き込まれて収容される。
【００８９】
次に、以下の操作によりサブフレーム４０を下降させる。昇降装置８を操作するレバー５６を斜め前方に深く押し下げることにより、操作軸４８を中心に動力伝達棒５１の先端が押し下げられ、油圧ポンプ５２のスタッドバルブ７４が大きく下降し、スタッドバルブ７４先端の突起７５が逆止弁７２を開状態にする。
【００９０】
そしてこの状態をしばらく維持することにより、シリンダ５０内のオイルが油圧ポンプ５２側へ逆流し、昇降軸２４がシリンダ５０内を下降し、これによりサブフレーム４０を下降させることができる。
【００９１】
そしてレバー９ａを握ってハンドル９を持ち上げ、リクライニングを解除する。
【００９２】
また、図１１に示すように、連結操作部材１４の鞘管５４、５５を横にスライドして、昇降装置８の操作軸４８と端１４ａとの軸着部、および、中間点１４ｂの軸着部を露出させる。鞘管５５内側の凹部は浅いため、小凸部６０との係合は鞘管５５を手動で横にスライドさせることにより容易に解除できる。連結支持棒６３についても、これを同様に行う。
【００９３】
この状態で、不図示の座面中央を下向きに押し込みながら左右のサイドフレーム２を両外側から中心方向に押すと、それに伴い図１２および図１３に示すように連結操作部材１４および連結支持棒６３が各々の軸着部で屈折して折り畳まれ、洗髪用車椅子１全体を幅方向に折り畳むことができる。
【００９４】
そして昇降装置８を座面の中央ではなく左右に設けるようにしたから、洗髪用車椅子１を幅方向に折り畳む際に昇降装置８が邪魔にならず、更に、昇降装置８を２本にすることで、１本にした場合よりも各昇降装置８を小型にしてその横幅を小さくすることができ、折り畳み状態の洗髪用車椅子１の横幅を更に小さく抑えることができる。
【００９５】
なお、ハンドル９を左右外向きに突設したが、ハンドル９の先端は後輪１２よりも左右外側に突出しないから、折り畳み状態の洗髪用車椅子１の横幅がハンドル９の存在によって大きくなってしまうことはない。
【００９６】
また、前記図１０の実施例のように、洗髪サービスを行う際に背もたれ３をやや起こした略水平状態にして洗髪用車椅子１を使用する場合でも、車椅子利用者の体重が最もかかる座面の前後方向中間よりやや後方且つ座面後端よりも前方位置に昇降装置８を設けたことにより、車椅子利用者の体重は安定して支持され、車椅子を安定して昇降させることができる。
【００９７】
また、昇降装置としては油圧式に限らず、各種のものが使用可能であるが、昇降時の衝撃の少なさから、油圧や空気圧など各種の流体圧によるものが好適であり、中でも、昇降時の安定感に優れる油圧式の昇降装置が好適である。
【００９８】
また、洗髪用枕３５は美容院などの洗髪用シンク３８以外にも、一般家庭や病院のシンクや洗面台にも使用することができ、吸着盤３５ｃをシンクや洗面台の内側に吸着固定することにより、美容院まで出向かなくとも、車椅子利用者の近くにあるシンクや洗面台で洗髪することができる。
【００９９】
なお、スタンド２２は前記実施例のようにリクライニング機構５の伸縮軸５ｂ内に立脚棒２５を挿入する他、立脚棒２５とこれをスライド固定自在に挿通する管体とを、リクライニング機構５のシリンダ５ａの横に並列固定することにより、伸縮軸５ｂとシリンダ５ａとからなる支持棒に下向きに延設するようにしても良い。
【図面の簡単な説明】
【０１００】
【図１】本発明の洗髪用車椅子の１実施形態を示す側面図である。
【図２】本発明の洗髪用車椅子の１実施形態を示す背面図である。
【図３】昇降装置の縦断側面図である。
【図４】連結操作部材の背面図である。
【図５】連結支持棒の正面図である。
【図６】洗髪用枕の全体斜視図である。
【図７】リクライニングさせて上昇させた洗髪用車椅子を示す側面図である。
【図８】リクライニングさせて上昇させた洗髪用車椅子を示す背面図である。
【図９】洗髪用車椅子の使用状態を示す側面図である。
【図１０】洗髪用車椅子の他の使用状態を示す側面図である。
【図１１】鞘管を移動させた連結操作部材の背面図である。
【図１２】折り畳んだ連結操作部材の背面図である。
【図１３】折り畳んだ連結支持棒の正面図である。
【図１４】従来の洗髪用車椅子の１例を示す側面図である。
【図１５】従来の洗髪用車椅子の１例を示す横断平面図である。
【図１６】従来の洗髪用車椅子をリクライニングさせ、且つ、上昇させた状態を示す側面図である。
【符号の説明】
【０１０１】
１  洗髪用車椅子                ２  サイドフレーム
３  背もたれ                    ５  リクライニング機構
５ａ  シリンダ                  ５ｂ  伸縮軸
５ｃ  取付け片                  ５ｄ  取付け金具
５ｅ  取付け金具
６  補助支持金具                ７  折り畳み機構
８  昇降装置                    ９  ハンドル
９ａ  レバー                    １０  レバー
１１  前輪                      １２  後輪
１３  台車部                    １４  連結操作部材
１４ａ  端                      １４ｂ  中間点
１４ｃ  第１屈曲部              １４ｄ  第２屈曲部
１５  背もたれ部                １６  足置き部
１７  座席部                    １８  油圧ジャッキ
１９  リクライニング手段        ２０  メインフレーム
２１  横管                      ２１ａ  開口
２２  スタンド                  ２３  車軸
２４  昇降軸                    ２５  立脚棒
２６  操作部                    ２６ａ  レバー
２８  出し入れ部材
３０  背もたれ支持部材          ３１  着脱金具
３１ａ  レバー                  ３２  枠
３３  補助輪移動ガイド部        ３５  洗髪用枕
３５ａ  基板                    ３５ｂ  枕本体部
３５ｃ  吸盤                    ３５ｄ  ホック
３５ｅ  取付け具                ３６  補助背もたれ
３７  背もたれ本体              ３８  洗髪用シンク
４０  サブフレーム              ４１  横管
４２  縦管                      ４３  取付け片
４４  縦管                      ４５  レッグパイプ
４６  足置き                    ４７  肘置き
４８  操作軸
５０  シリンダ                  ５１  動力伝達棒
５２  油圧ポンプ                ５３  通路
５４、５５  鞘管                ５６  レバー
６０  補助輪                    ６１  スライドストッパ
６３  連結支持棒                ６３ａ  中間点
６４  鞘管                      ６５  蝶番
６６  小凸部                    ６７  スライドストッパ
７０  車椅子利用者              ７２  逆止弁
７３  バネ                      ７４  スタッドバルブ
７５  突起                      ８１  角パイプ
８２  横枠                      ８３  横板
８４  座席シート                ８７  シャフト
【図１】
2008188089.tif 000003
【図２】
2008188089.tif 000004
【図３】
2008188089.tif 000005
【図４】
2008188089.tif 000006
【図５】
2008188089.tif 000007
【図６】
2008188089.tif 000008
【図７】
2008188089.tif 000009
【図８】
2008188089.tif 000010
【図９】
2008188089.tif 000011
【図１０】
2008188089.tif 000012
【図１１】
2008188089.tif 000013
【図１２】
2008188089.tif 000014
【図１３】
2008188089.tif 000015
【図１４】
2008188089.tif 000016
【図１５】
2008188089.tif 000017
【図１６】
2008188089.tif 000018